(57)【要約】      （修正有）【課題】タッチ入力のセンシングの精度または信頼度を向上させたタッチパネル付表示装置及びその駆動法方法を提供する。【解決手段】液晶表示パネルの表示面に、静電容量方式のタッチパネルが貼り付けられている。液晶表示パネルには、映像信号Ｖｓｉｇ入力のタイミングを決定するタイミング生成部が備えられ、ここで生成されるタイミング信号ｔｍは、回路及びコネクタ配線により、タッチパネルのコントローラーへと送られる。タッチパネルのコントローラーは、タイミング信号ｔｍに基づき、映像信号Ｖｓｉｇのパルスの立ち上がり及び立ち下がりの期間を避けて、すなわち、液晶表示パネルからの電磁ノイズＬＣｎｏｉｓｅの発生期間を避けて、タッチパネルでのセンシングのためのセンシング・パルス信号ＴＰｓｅｎｓの入力開始を行う。必要に応じて、ブランキング期間ｔｂｌａｎｋのみならず、映像信号入力期間ｔｓｉｇ中にもセンシングを行う。【選択図】図１
2015201075.tif 000002
【特許請求の範囲】
【請求項１】
駆動回路部を備えた表示パネルと、
表示パネルの表示面に、近接して備え付けられるタッチパネルと、
タッチパネルでのセンシングのための駆動を行うとともに表示パネルへのデータ転送を行うコントローラーまたは制御部とを備えるタッチパネル付き表示装置において、
駆動回路部から表示パネルの信号線へと入力される映像信号パルスのタイミングについて制御するためのタイミング信号を、前記のコントローラーまたは制御部へと転送する機構を備え、
前記のコントローラーまたは制御部は、転送された信号に基づき、入力される映像信号パルスの立ち上がり、立ち下がり及びこれらの直後の期間を避けて、タッチパネルでのセンシングを行うことを特徴とするタッチパネル付表示装置。
【請求項２】
タッチパネルでのセンシングを各フレーム期間におけるブランキング期間中に行うことを特徴とする請求項１に記載のタッチパネル付表示装置。
【請求項３】
タッチパネルでのセンシングを各フレーム期間における映像信号入力期間中にも行い、一の映像信号パルスにおける初期の期間を避けて、タッチパネルの電極線にセンシングのためのパルス信号の立ち上がりが行われることを特徴とする請求項２に記載のタッチパネル付表示装置。
【請求項４】
表示パネルの画像表示領域中に映像信号を伝えるべく延びる信号線が、複数のグループに分けられ、これらグループ間の選択を行う選択スイッチ部が備えられ、この選択スイッチ部は、前記タイミング信号に基づき、信号線のグループを順次選択して映像信号が入力されるようにすることを特徴とする請求項１〜３のいずれかに記載のタッチパネル付表示装置。
【請求項５】
駆動回路部を備えた表示パネルと、
表示パネルの表示面に、近接して備え付けられるタッチパネルと、タッチパネルでのセンシングのための駆動を行うとともに表示パネルへのデータ転送を行うコントローラーまたは制御部とを備えるタッチパネル付表示装置を駆動するに方法において、
駆動回路部における、表示パネルへと入力する映像信号パルスのタイミングについて制御するためのタイミング信号に基づき、前記のコントローラーまたは制御部にて、入力される映像信号パルスの立ち上がり、立ち下がり及びこれらの直後の期間を避けて、タッチパネルでのセンシングを行うことを特徴とするタッチパネル付表示装置の駆動方法。
【発明の詳細な説明】
【技術分野】
【０００１】
本発明は、表示装置本体（表示パネル）の表示面にタッチパネルが備え付けられた表示装置及びその駆動方法に関する。特には、ノイズによる誤作動を低減できるものに関する。
【背景技術】
【０００２】
近年、インターネットへの接続や電話機能など各種機能を備えた携帯可能な端末やコンピューターが広く用いられるようになっている。特には、インターネット端末の機能及び携帯電話端末の機能などを備えたスマートフォンと呼ばれる高機能携帯端末や、タブレットコンピューターその他のモバイルコンピューターが広く普及するに至っている。また、各種の、電子ブックリーダー、電子ノート、携帯用カーナビ装置、受発注端末、携帯用ゲーム機、並びに、携帯用テレビ、DVDプレイヤーその他の携帯用画像再生機器なども一般に用いられている。これらの携帯可能な端末・機器は、表示装置と、通信及びコンピューター機能がオールインワンとなっているのが一般的であり、多くの場合、表示装置の表示面にタッチパネルが備え付けられている。また、券売機、ＡＴＭ、各種操作盤、並びに、一部のデスクトップパソコン用ディスプレイやスマートＴＶ、電子黒板などでも表示装置の表示面にタッチパネルが備え付けられている。
【０００３】
タッチパネルが備え付けられる平面表示装置としては、アクティブマトリクス型の液晶表示装置、及び有機EL表示装置が最も代表的である。これらの平面表示装置は一般に、表示パネルと、その駆動系統とからなる。液晶表示パネルは、互いに組み合わされるアレイ基板及び対向基板と、これら基板間に挟持された液晶層とよりなる。また、有機ＥＬ表示装置は、典型的には、スイッチング素子が配列されたアレイ基板上に、有機ＥＬ膜を配置し、封止剤（フィル材）を挟んで対向基板を貼り付けて硬化させることで得られている。
【０００４】
タッチパネルには、平面表示装置の表示パネルの内部に一体に構成して軽量化及び薄型化を実現する「イン・セル型」もあるが、表示パネルの表示面に備え付けられるものが主流となっている。特には、表示パネルとタッチパネルとが、それそれ別個に製造された後に組み合わされるもの（「外付け型」）が主流をなしている。一方、タッチパネルは、多くの場合、画像表示面に対応するタッチスクリーン面に、センシング用の電極または配線が配列されている。このようなタッチパネルにおいて、電気的なノイズまたは電磁気的なノイズにより、タッチパネルでのセンシングに、悪影響を受けることがある。
【０００５】
特許文献１においては、ＬＥＤがマトリクス状に配列されたバックライト装置からのノイズが、静電容量方式のタッチパネルのセンシングに与える影響を低減すべく、センシングの位置と、発光駆動されるＬＥＤの位置との距離関係を一定に保つように駆動を行うことが提案されている。このような駆動であると、ＬＥＤに起因するノイズがほぼ一定になるので、初期ノイズを求めておいてキャンセルすることが可能となる。一方、特許文献２においては、静電容量方式のタッチパネルにて、タッチ入力時に形成される寄生容量の影響を低減すべく、タッチ入力に影響されていないセンシング・チャネルに連結された回路部分（「補償ブロック」）より、補償出力を行うことが提案されている。
【先行技術文献】
【特許文献】
【０００６】
【特許文献１】特開２０１３−２３５１９７
【特許文献２】特開２０１１−１６５１８４
【発明の概要】
【発明が解決しようとする課題】
【０００７】
本件発明者は、液晶表示装置の表示パネルに取り付けられたタッチパネルにおけるノイズによる誤動作を低減すべく鋭意検討する中で、まず、何らかのノイズによる誤動作であろうと考えられるもののうち、表示パネルの駆動回路部やバックライトの点灯機構などからの電磁ノイズが原因とは考えられないものがあるのではないかとの着想を得た。そして、さらに鋭意検討する中で、表示パネルの画素配列部から、これに重ねられたタッチパネルの電極配列部へと極めて微弱な電磁ノイズが伝わっているのではないかと考えるに至った。
【０００８】
本件発明者は、このような斬新な着想に基づき、表示パネルの画素配列部にて電磁ノイズが発生しうるタイミングを外して、タッチパネルでのセンシングを行えば良いとの考えを得た。そして、電磁ノイズが発生しうるタイミングは、画素配列部への映像信号入力（書き込み）が行われる時点であり、特にはその入力信号のパルスが立ち上がる時点であろうと考えるに至った。
【０００９】
本発明は、上記のように、表示パネルと、表示パネルの表示面に備え付けられたタッチパネルとからなるタッチパネル付表示装置及びその駆動法方法において、表示パネルの側からタッチパネルへと伝わる電磁ノイズの影響を低減できるものを提供しようとするものである。
【課題を解決するための手段】
【００１０】
本発明のタッチパネル付表示装置は、駆動回路部を備えた表示パネルと、表示パネルの表示面に、近接して備え付けられるタッチパネルと、タッチパネルでのセンシングのための駆動を行うとともに表示パネルへのデータ転送を行うコントローラーまたは制御部と、駆動回路部から表示パネルの信号線へと入力される映像信号パルスのタイミングについて制御するための信号を、前記のコントローラーまたは制御部へと転送する機構とを備え、前記のコントローラーまたは制御部は、転送された信号に基づき、入力される映像信号パルスの立ち上がり、立ち下がり及びこれらの直後の期間を避けて、タッチパネルでのセンシングを行うことを特徴とする。
【００１１】
本発明のタッチパネル付表示装置の駆動方法は、駆動回路部を備えた表示パネルと、表示パネルの表示面に、近接して備え付けられるタッチパネルと、タッチパネルでのセンシングのための駆動を行うとともに表示パネルへのデータ転送を行うコントローラーまたは制御部とを備える表示装置を駆動するにあたり、駆動回路部における、表示パネルへと入力する映像信号パルスのタイミングについて制御するための信号に基づき、前記のコントローラーまたは制御部にて、入力される映像信号パルスの立ち上がり、立ち下がり及びこれらの直後の期間を避けて、タッチパネルでのセンシングを行うことを特徴とする。
【発明の効果】
【００１２】
タッチパネル付き表示装置におけるセンシングの精度または信頼度を向上し、タッチパネルの誤動作を防止することができる。
【図面の簡単な説明】
【００１３】
【図１】一実施形態のタッチパネル付表示装置の駆動方法における、タッチパネルでのセンシングのタイミングについて示す、模式的なタイミングチャートである。
【図２】図１に対応するタッチパネル付表示装置についての模式的な構成図である。
【図３】図１に対応するタッチパネル付表示装置についての模式的な斜視図である。FPCは折り返さない状態で示している。
【図４】他の一実施形態における、図１と同様のタイミングチャートである。
【発明を実施するための形態】
【００１４】
本発明の一の実施形態になるタッチパネル付表示装置及びその駆動方法について、図１〜３を用いて説明する。ここでは、表示装置が液晶表示パネルからなるとして説明するが、有機ＥＬ表示パネルなどの他のマトリクス表示装置からなるものであっても良い。
【００１５】
図３に一例を示すように、表示装置１０には、周縁部に駆動ＩＣ１１を備えた液晶表示パネル１と、液晶表示パネル１の表示面５２に取り付けられるタッチパネル２と、バックライトユニット３とが備えられ、これらが、一つの板状のケーシング中にまとめられている。液晶表示パネル１は、アレイ基板１９及び対向基板１９Ａがシール材を介して貼り合わされ、この中に液晶層を保持するものであり、アレイ基板１９が対向基板１９Ａの縁から棚状に突き出した棚状接続部１９Ｂに、駆動ＩＣ１１が備えられる。本実施形態において、液晶表示パネル１の駆動ＩＣ１１は、１つまたは複数の駆動ＩＣチップにまとめられて、液晶表示パネル本体における一つまたは複数の辺に沿った棚状接続部１９Ｂに、表示パネル用のフレキシブル配線基板（ＦＰＣ）１５とともに実装される。
【００１６】
タッチパネル２は、例えば、硬化後に弾性を有する接着剤を介して、液晶パネル１の表示側の面に貼り付けられている。本実施形態において、タッチパネル２における矩形状の一方の辺に沿って形成された接続領域にタッチパネル用のＦＰＣ２４が接続しており、このＦＰＣ２４にタッチパネル用のコントローラＩＣ２１が搭載されている。図示の例におて、タッチパネル用のＦＰＣ２４は、表示パネル用のＦＰＣ１５に覆いかぶさるようにして、重ねられるとともに、バックライト３の裏側へと折り曲げられる。一具体例において、タッチパネル用のＦＰＣ２４と、表示パネル用ＦＰＣ１５とが、ＦＰＣ用コネクター２４Ａ、１５Ａを介して接続される。すなわち、例えば、タッチパネル用のＦＰＣ２４のコネクター差込部（配線群の端子部）２４Ａが、表示パネル用ＦＰＣ１５のコネクターソケット１５Ａに差し込まれる。
【００１７】
図２は、図３に示す液晶表示装置の要部について説明するための模式的な構成図である。図２に模式的に示すように、液晶表示パネル１の各画素ドットには、TFT素子１７及び画素電極が備えられ、そのソース電極及びゲート電極がそれぞれ信号線１３及び走査線１４に接続されている。本実施形態において、対向基板１９Ａまたはアレイ基板１９に設けられるカラーフィルタ層は、信号線１３に沿ったストライプ状に配列される。そのため、図２中の拡大部分に示すように、各信号線１３に沿って、同一の色を割り当てられた画素ドットが一列に並ぶこととなる。本実施形態のように、赤（Ｒ）、緑（Ｇ）及び青（Ｂ）の三原色表示を行う場合、赤（Ｒ）表示の画素ドット列、緑（Ｇ）表示の画素ドット列、及び青（Ｂ）表示の画素ドット列が配列されることとなる。
【００１８】
本実施形態において、図２中に示すように、映像信号用の各入力配線１３Ａは、選択スイッチ部１２Ａを介して、画像表示領域４２内の３本の信号線、すなわち、赤色ドット用信号線１３R、緑色ドット用信号線１３G、及び青色ドット用信号線１３Bに電気的に接続している。選択スイッチ部１２Ａは、入力配線１３Ａを通じて供給されて来る映像信号Vsigを、順次、３本の信号線１３R,１３G,１３Bのそれぞれに供給するためのものである。
【００１９】
図示の例において、選択スイッチ部１２Ａは、信号線１３に直交する方向に延びる３本の選択用配線１２R,１２G,１２Bと、これらの配線が各信号線１３との交点部分に形成するＴＦＴ素子１７とからなる。すなわち、選択用配線１２R,１２G,１２Bに順次入力されるゲートパルスによってＴＦＴ素子１７が順次オン状態となることで、映像信号Vsigが所定の信号線１３R,１３G,１３Bに順次入力される。図示の具体例において、映像信号用の各入力配線１３Ａは、駆動ＩＣ１１の端子から画像表示領域４２へと向かって延びており、選択スイッチ部１２Ａは、アレイ基板１９上にあって、画像表示領域４２の縁と駆動ＩＣ１１との間の領域に設けられている。
【００２０】
選択用配線１２R,１２G,１２Bへのゲートパルスの入力は、ＲＧＢ選択回路１６Ａからの出力により行われ、このＲＧＢ選択回路１６Ａの出力は、タイミング生成回路１１Ａからのパルス状のタイミング信号ｔｍに基づいて行われる。図示の例において、タイミング生成回路１１Ａは、駆動ＩＣ１１内に設けられている。また、図示の具体例において、表示パネル用ＦＰＣ１５には、電源部などの機能を兼ねるコントローラＩＣ１６が搭載されており、ＲＧＢ選択回路１６Ａが、このコントローラＩＣ１６中に設けられている。
【００２１】
一方、本実施形態において、タッチパネル２には、X方向の電極線２２及びY方向の電極線２３が格子状に配列されており、静電容量方式などにより、タッチパネルペン４のペン先、または、指先の位置が検知される。タッチパネル２のコントローラー２１は、例えば、X方向の各電極線２２に順次パルス信号TPsensを印加し、Y方向の各電極線２３から受信される波形信号に基づき、各交点のレベル信号（ディジタル信号）を生成する。
【００２２】
本実施形態においては、上述のように画像表示領域４２中への映像信号Vsigの供給のタイミングを決定するタイミング信号ｔｍが、図２に模式的に示すように、ＲＧＢ選択回路１６Ａからタッチパネル２のコントローラー２１へと、コネクタ配線２５を通じて送られる。そして、タッチパネル２のコントローラー２１は、センシングのためのパルス信号TPsensを印加するタイミングについて、入力されたタイミング信号ｔｍに基づき、修正または決定を行う。詳しくは、映像信号Vsigのパルスの立ち上り及び立ち下り（パルスのON/OFF）の際に、液晶表示パネル１から微弱な電磁ノイズLCnoiseが発生しうるという着想に基づき、液晶表示パネル１における映像信号Vsigのパルスの立ち上り及び立ち下り期間を避けて、タッチパネル２におけるセンシングを行うようにする。
【００２３】
図１のタイミングチャートには、一具体例における、映像信号Vsig入力と、センシングのためのパルス信号TPsens入力との時間的な関係について示す。映像信号Vsigのパルス幅及びパルスのタイミングは、上述の選択スイッチ部１２Ａの選択用配線１３R,１３G,１３Bに入力されるゲートパルスの幅及びタイミングと同一である。
【００２４】
図示の具体例において、映像信号Vsigの波形は、ブランキング期間の電圧に相当する基準電圧から正負に交互に振れるパルス波形となっている。パルス波形において、ある基準電圧から遠ざかることを立ち上がりと呼び、この基準電圧へと復帰するのを立ち下がりと呼ぶことができる。そうすると、図1の波形において、ブランキング期間の前後を除けば、立ち上がりと立ち下がりとは重なることとなる。そのため、以下の説明では、パルス波形の立ち上がり及び立ち下がりを、まとめて「立ち上がり」と呼ぶこととする。なお、この「立ち上がり」のタイミングは、各信号線１３R,１３G,１３Bにおける映像信号のON/OFFのタイミングとして捉えることができる。
【００２５】
図１中に模式的に示すように、映像信号Vsigのパルスが正方向または負方向へと立ち上りを開始する直後の期間には、液晶表示パネル１の画像表示領域４２中から、電磁ノイズLCnoiseが発生しうる。なお、このような直後の期間は、画像表示領域４２中の信号線１３に実際に印加される電圧が立ち上がって行く期間に対応する。タッチパネルにおけるセンシングは、このような電磁ノイズLCnoiseの発生期間を避けて、行う。したがって、映像信号Vsigパルスの立ち上がり直後を避けて、センシングためのパルス信号TPsensの入力を行う。
【００２６】
但し、静電容量方式などのタッチパネル入力方式において、実際のセンシングが行われるのは、パルス信号TPsensの入力を開始してからの短い期間内であると考えられる。すなわち、例えば、X方向の各電極線２２にて、パルス信号TPsensにより電圧が立ち上がっていく期間であると考えられる。そのため、具体的には、センシングための各パルス信号TPsensの波形の最初の部分が、電磁ノイズLCnoiseの発生期間と重ならないようにすれば良いと考えられる。
【００２７】
本実施形態においては、各フレーム期間Ｆ中、ブランキング期間ｔblank及びそれ以外の期間（映像信号入力期間ｔsig）のいずれにおいても、タッチパネルでのセンシングを行う。図１の具体例においては、各フレーム期間Ｆ中、ブランキング期間ｔblankにて１回のセンシングを行う他、映像信号入力期間ｔsig中に、２回のセンシングを行う。
【００２８】
ブランキング期間ｔblank中のセンシングは、ブランキング期間ｔblankの開始から充分な期間が経過した後に行う。例えば、映像信号Vsigのパルス幅の、少なくとも１〜２倍の期間の後、好ましくは３〜５倍の期間の後に、パルス信号TPsensの入力を開始する。
【００２９】
一方、映像信号入力期間ｔsig中にあっては、映像信号Vsigの一のパルス期間中、その中間の時点で、センシング・パルス信号TPsensの入力を開始する。この入力の開始は、パルス期間の初期（例えパルス幅の1/4〜1/3の期間）が終了してから行うのであるが、あまり遅れると次のパルスの立ち上がりまでにセンシングが終了しないことから、所定の初期の期間が終了して直ちに行うようにすることができる。例えば、電磁ノイズLCnoiseが完全に出なくなってからでなくても、充分に小さくなった時点で、センシング・パルス信号TPsensの入力を開始し、次の電磁ノイズLCnoiseのピークより前にはセンシングが完了するようにして、ノイズを最小化することができると考えられる。
【００３０】
図１に示すような実施形態において、ブランキング期間ｔblank中のセンシングは、液晶表示パネル１からの電磁ノイズLCnoiseの影響を受けるおそれが、まずない。ところが、映像信号入力期間ｔsig中であると、ある程度、電磁ノイズLCnoiseの影響を受けるおそれがある。そのため、ブランキング期間中のセンシングにより検知された位置を基準とし、ある閾値を超えて検知位置がずれる場合には、エラー値として省くようにすることができる。また、例えば、１フレーム期間Ｆ中、他の２回の検知位置を基準に、大きく外れた検知位置をエラーとして省くこともできる。さらには、ブランキング期間ｔblank中の検知位置に対する重み付けを、映像信号入力期間ｔsig中の２回の検知位置に対する重み付けよりも大きくして、適当な近似曲線に基づき、タッチパネルペン４のペン先、または指先により描かれる軌跡４１を推定するようにすることもできる。また、ペン先または指先の動きが遅いときには、ブランキング期間ｔblank中にのみセンシングを行い、ペン先または指先の動きが所定値より高いときにだけ、映像信号入力期間ｔsig中にもセンシングを行うように設定することもできる。
【００３１】
例えば、液晶表示パネル１のリフレッシュレートが60Hzである場合に、１フレーム期間Ｆは16.6msec（ミリ秒）である。この場合、ブランキング期間は、例えば、この1/3〜1/5の期間とすることができるので、3〜5 msec（ミリ秒）とすることができる。また、例えば、液晶表示パネル１がWVGA（画素数800×480）である場合、１フレーム期間の1/5をブランキング期間とするならば、映像信号Vsigのパルス幅（パルス期間）は、１フレーム期間の1/600とすることができる。したがって、１フレーム期間Ｆが16.6msecであるなら、映像信号Vsigのパルス幅は、約28μsec（マイクロ秒）となる。問題となるレベルの電磁ノイズLCnoiseの存続期間が、約10μsecであるとすると、映像信号Vsigのパルスの立ち上がり開始から約10μsecにセンシング・パルス信号TPsensの入力を開始する。そして、次のパルスの立ち上がりまでの約18μsecの期間にセンシングがほぼ完了するようにする。
【００３２】
図４のタイムチャートには、他の一実施形態におけるセンシングのタイミングについて模式的に示す。図４に示すように、センシングを各フレーム期間Ｆ中、ブランキング期間ｔblank内でのみ行う。他の点では、図１〜３に示す上記の実施形態と同一である。図示の例では、各フレーム期間Ｆ中、ブランキング期間ｔblank内に1回のみのセンシングを行う。図４の実施形態は、映像信号入力期間ｔsig中、一の電磁ノイズLCnoise波形の終了（立ち下がり）から、次の電磁ノイズLCnoise波形の立ち上がりまでの期間が、タッチパネルでのセンシングに充分でない場合に適している。特には、高精細表示を行うべく走査線の数が多くなれば、それだけ、映像信号Vsigのパルス幅も小さくなる。また、例えば、立体表示（３Ｄ表示）などのために、リフレッシュレートを120〜240Hzにすると、映像信号Vsigのパルス幅は、60Hzの場合の1/2〜1/4となる。なお、リフレッシュレートが高くなるならば、ブランキング期間中にのみセンシングを行うことで、ペン先や指先の速い動きにも対応することができる。
【００３３】
具体的な実施例として、リフレッシュレート60HzにてWXGA表示（1280×768画素）を行う、スマートフォン及びタブレットPC用の対角サイズ７インチの液晶表示装置１０を試作し、上記図４の実施形態のとおりとした。ここでのタッチパネル２は、静電容量方式のものである。そして、種々の条件で、タッチパネルによるセンシングを行ってみたところ、液晶表示パネルの電磁ノイズに起因すると考えられるセンシングエラーは、全く見られなかった。一方、同様の液晶表示装置において、映像信号Vsigのタイミングに関係なく、タッチパネルでのセンシングを行った場合、条件によっては、センシングエラーが見られた。
【００３４】
なお、タッチパネルを装着する前の状態で、電磁ノイズ計測装置（株式会社ペリテックの「EMIテスタEMV-200」）を用いて、液晶表示パネル１の画像表示領域４２の表面における微弱な電磁波ノイズを計測した。この際、通常の計測では検出が困難であったため、増幅機構を用いた。その結果、電磁波ノイズのレベルは、液晶表示パネルの駆動ＩＣ１１の箇所で見られる電磁波ノイズの約１０-6〜１０-8倍であった。すなわち、６〜８桁（けた）小さい値であった。このように、本件発明は、従前、問題となるような電磁波ノイズが全く存在しないと考えられたところ、センシング精度を向上させるべく鋭意検討する中で、斬新な着想によりなされたものである。
【００３５】
上記の実施形態の説明においては、液晶表示パネル１のＦＰＣ１５上のＩＣに、ＲＧＢ選択回路１６Ａが設けられ、このＦＰＣ１５上の配線及びコネクタ端子と、タッチパネル用ＦＰＣ２４上の配線及びコネクタ端子を経て、ＲＧＢ選択回路１６Ａからのタイミング信号ｔｍがタッチパネル用コントローラ２１に入力されるとして説明した。また、上記の実施形態の説明においては、赤色ドット用信号線１３R、緑色ドット用信号線１３G、及び青色ドット用信号線１３Bに、順次映像信号を供給するための選択スイッチ部及びＲＧＢ選択回路が液晶表示パネル１に備えられるとして説明した。
【００３６】
しかし、ＲＧＢ選択回路は、例えば、棚状接続部１９Ｂ上の駆動ＩＣ１１中に設けられるのであっても良く、また、別途のＦＰＣ上に設けられるものであっても良い。原理上、映像信号入力のタイミングを決定するタイミング生成部と、タッチパネルのためのコントローラーとの間に、タイミング生成部からのタイミング信号を適宜に増幅するなどして伝達する機構が存在すれば良い。
【００３７】
なお、ＲＧＢ選択回路として説明したが、三原色表示に代えて、例えば黄色表示の画素ドットの列が設けられる場合、ＲＧＢ選択回路は、4原色間の選択を行う回路となる。また、例えば、選択スイッチ部及び選択回路により、隣合う２つの信号線を順次選択して映像信号を入力するようにすることができる。また、隣合う信号線に限らず、信号線を複数のグループに分け、順次グループを選択してグループごとに映像信号の入力を行うこともできる。
【００３８】
また、場合によっては、信号線を選択する選択スイッチ部や選択回路を特に備えない場合も、映像信号パルスのタイミングを決めるタイミング信号をタッチパネルコントローラー２１に供給し、上記各実施形態と同様に行うことができる。
【００３９】
上記の実施形態の説明においては、液晶表示パネルのコントローラーと、タッチパネルのコントローラーが別個に設けられるとして説明したが、場合によっては、一つのコントローラーまたは制御部により、液晶表示パネル及びタッチパネルを駆動するのであっても良い。また、タッチパネルについて、液晶表示パネルとは別体の部材として供給された後に、液晶表示パネルの表示面に貼り付けられるものとして説明したが、場合によっては、液晶表示パネルの表側の基板の上に、半製品のタッチパネルが貼り付けられてから、ＦＰＣの実装などが行われるのであっても良い。なお、タッチパネルは、液晶表示パネルに、貼り付けられずに組み付けられるのであっても良い。
【符号の説明】
【００４０】
１…液晶表示パネル；    １０…タッチパネル付き表示装置；  
１１…駆動ＩＣ；    １１Ａ…タイミング生成部；  
１２…RGB入力選択用配線；    １２R…赤(R)選択用配線；  
１２G…緑(G)選択用配線；    １２B…青(B)選択用配線；  
１３…信号線；    １３A…映像信号用の入力配線；  
１３R…赤色ドット用信号線；    １３G…緑色ドット用信号線；  
１３B…青色ドット用信号線；    １４…走査線；  
１５…フレキシブル基板（ＦＰＣ）；    １５Ａ…コネクタソケット；  
１６…表示パネル・コントローラー；    １６Ａ…RGB選択回路  
１７…TFT素子；    １８…タイミング信号出力配線；    １９…アレイ基板；  
１９Ａ…対向基板；    １９Ｂ…棚状接続部；    ２…タッチパネル；  
２１…タッチパネル・コントローラー；    ２２…X方向の電極線；  
２３…Y方向の電極線；    ２４…タッチパネル用ＦＰＣ；  
２４…コネクタ差込部；    ２５…コネクタ配線；  
３…バックライト・ユニット；    ４…タッチパネルペン；  
４１…タッチ入力の軌跡；    ４２…画像表示領域；  
【図１】
2015201075.tif 000003
【図２】
2015201075.tif 000004
【図３】
2015201075.tif 000005
【図４】
2015201075.tif 000006